(57)【要約】【課題】外容器の肩に、操作スイッチを取り付けた操作基板を収納する基板格納室を設けた電気ポットにおいて、基板格納室から外容器の内方に通されたリード線を伝う水滴が、その基板格納室のリード線の取出し口に向かい難くする。【解決手段】肩３に、操作スイッチ２１を取り付けた操作基板２０を収納する基板格納室４０を設け、その基板格納室４０に、操作基板２０に接続されたリード線Ｌを下降させる取出し口４１ｃを形成し、その取出し口４１ｃに基板格納室４０の外かつ下から内外２重のインロー部４２ａ、４２ｂにおいて嵌合される蓋部材４２を有し、その蓋部材４２の外側のインロー部４２ｂと、取出し口４１ｃとで形成されるラビリンスにより、取出し口４１ｃで下降させたリード線Ｌを取出し口４１ｃの外で上昇させ、その揚程によりリード線Ｌを伝う水滴Ｗが取出し口４１ｃに向かい難くした。【選択図】図１１
2008284100.tif 000002
【特許請求の範囲】
【請求項１】
内容器を外容器に収納し、その外容器が前記内容器の上部との間を閉じ、かつ外蓋と閉じ合う肩を有し、その肩に、操作スイッチを取り付けた操作基板を収納する基板格納室を設け、前記操作基板に接続されたリード線を前記基板格納室から前記外容器の内方に通した電気ポットにおいて、
前記基板格納室に、前記リード線を下降させる取出し口を形成し、その取出し口に基板格納室外から被さる蓋部材を有し、その蓋部材と前記取出し口との間に、下降させた前記リード線を取出し口外で上昇させるラビリンスを設けたことを特徴とする電気ポット。
【請求項２】
前記基板格納室の下方に、前記内容器に通じた吐出管路を配置し、その吐出管路を構成する転倒止水弁の弁ケースを前記蓋部材とした請求項１に記載の電気ポット。
【請求項３】
前記蓋部材を、前記取出し口に嵌合されるインロー部と、前記取出し口との間に前記ラビリンスを形成する立壁部とからなる環状壁を有するものとし、前記基板格納室の下方に、前記内容器に通じた吐出管路を配置し、その吐出管路を構成する転倒止水弁の弁ケースで前記取出し口に嵌合された前記蓋部材を落下しないように押さえた請求項１に記載の電気ポット。
【請求項４】
前記ラビリンスを、毛細管現象で水膜が形成されない通路とした請求項１から３のいずれかに記載の電気ポット。
【請求項５】
水不透過性の平板状シール部材を曲げて前記リード線を挟み込み、そのリード線を挟み込んだ平板状シール部材を前記取出し口に押し込み、その取出し口に押し込まれた平板状シール部材が弾性回復により当該リード線及び当該取出し口の内周にくっ付いた請求項１から４のいずれかに記載の電気ポット。
【発明の詳細な説明】
【技術分野】
【０００１】
この発明は、電気ポットに関する。
【背景技術】
【０００２】
一般に、電気ポットは、湯を沸かす内容器を外容器に収納した構造になっている。外容器は、内容器の上部との間を閉じ、かつ外蓋と閉じ合う肩を有している。外容器と内容器との間に形成された内部空間に、電源回路、制御基板、ポンプ、配管等の各種機器が組み込まれている。外容器の肩に、各種機能の設定、電源操作等を行うための操作ボタンが露出している。また、肩に、操作ボタンの内方に、操作スイッチを取り付けた操作基板を収納する基板格納室が設けられている。操作基板に接続されたリード線の他端は、基板格納室から外容器の内方に通され、制御基板等に接続されている。
【０００３】
電気ポットは、外容器の内側に浸水しないように配慮されているが、極めて稀ながら丸洗いされることがある。この丸洗い時に外容器内に浸水し、リード線に水滴が付着することがある。リード線に付着した水滴は、電気ポットが上下逆様の姿勢にされたときにリード線を伝い、基板格納室に向かう。このような水滴が基板格納室に浸入することを防止するため、従来から基板格納室に形成されたリード線の取出し口に、リード線及び当該取出し口の内周との間を塞ぐパッキンが設けられている（特許文献１参照）。
【０００４】
【特許文献１】特開平８−１０１６４号公報（図５、段落００２４、００２５、００２８）
【発明の開示】
【発明が解決しようとする課題】
【０００５】
上記従来例のように取出し口にパッキンを設けるか否かに関らず、基板格納室の防水という観点からは、リード線を伝った水滴が基板格納室の取出し口に達し難くすることが好ましい。例え、基板格納室の取出し口にパッキンを設けるとしても、パッキンの形状誤差や取付け誤差、さらには経年変化による弾性の低下は避けられないからである。
【０００６】
そこで、この発明の課題は、外容器の肩に、操作スイッチを取り付けた操作基板を収納する基板格納室を設けた電気ポットにおいて、基板格納室から外容器の内方に通されたリード線を伝う水滴が、その基板格納室のリード線の取出し口に向かい難くすることにある。
【０００７】
上記の課題を解決するため、この発明は、内容器を外容器に収納し、その外容器が前記内容器の上部との間を閉じ、かつ外蓋と閉じ合う肩を有し、その肩に、操作スイッチを取り付けた操作基板を収納する基板格納室を設け、前記操作基板に接続されたリード線を前記基板格納室から前記外容器の内方に通した電気ポットにおいて、前記基板格納室に、前記リード線を下降させる取出し口を形成し、その取出し口に基板格納室外から被さる蓋部材を有し、その蓋部材と前記取出し口との間に、下降させた前記リード線を取出し口外で上昇させるラビリンスを設けた構成を特徴とするものである。
【０００８】
この発明の構成によれば、取出し口に基板格納室外から蓋部材が被さるため、上下逆様の状態で、取出し口の下方から水滴が直接的に室内に入ることはない。基板格納室外から取出し口に被さる蓋部材を利用すれば、取出し口との間に、リード線を通すラビリンスを設けることができる。
そのラビリンスは、上下逆様の状態で、取出し口の外側で当該取出し口に対してリード線を上昇させる揚程を生じさせるため、リード線を伝う水滴は、取出し口に向かい難くなる。
【０００９】
具体的には、前記基板格納室の下方に、前記内容器に通じた吐出管路を配置し、その吐出管路を構成する転倒止水弁の弁ケースを前記蓋部材とした構成を採用すれば、組み立て部品数を減らすことができる。
【００１０】
また、仕様上、弁ケースと蓋部材とを別体に設ける場合は、前記蓋部材を、前記取出し口に嵌合されるインロー部と、前記取出し口との間に前記ラビリンスを形成する立壁部とからなる環状壁を有するものとし、前記基板格納室の下方に、前記内容器に通じた吐出管路を配置し、その吐出管路を構成する転倒止水弁の弁ケースで前記取出し口に嵌合された前記蓋部材を落下しないように押さえた構成を採用することができる。
この構成によれば、インロー部の嵌合で蓋部材を取出し口に対して水平方向に位置決めし、弁ケースで取出し口から落下しないように押さえられるので、蓋部材にねじ止め部や上下方向の係合部が不要になり、蓋部材の小型化を図ることができる。
【００１１】
前記ラビリンスを毛細管現象で水膜が形成されない通路とした構成を採用すれば、前記リード線を伝う水滴が、ラビリンスで水膜となり、前記取出し口に達することを防止することができる。
【００１２】
水不透過性の平板状シール部材を曲げて前記リード線を挟み込み、そのリード線を挟み込んだ平板状シール部材を前記取出し口に押し込み、その取出し口に押し込まれた平板状シール部材が弾性回復により当該リード線及び当該取出し口の内周にくっ付いた構成を採用すれば、リード線を平板状シール部材で挟み込んで押し込むだけで取出し口を簡単にシールすることができる。また、平板状シール部材は、平板状のパッキン素材から適宜に裁断して簡単に成形することができ、リング状のものと比して低コストで製造することができる。
【発明の効果】
【００１３】
以上に述べたように、この発明によれば、外容器の肩に、操作スイッチを取り付けた操作基板を収納する基板格納室を設けた電気ポットにおいて、上記特徴的構成の採用により、基板格納室から外容器の内方に通されたリード線を伝う水滴が、その基板格納室のリード線の取出し口に向かい難くすることができる。
【発明を実施するための最良の形態】
【００１４】
以下、この発明の第１実施形態に係る電気ポットを添付図面に基づいて説明する。
図１は、第１実施形態に係る電気ポットの全体構成を縦断面で示している。
図１に示すように、第１実施形態に係る電気ポットは、内容器１を外容器２に収納したものである。外容器２は、内容器１の上部との間を閉じる肩３と、この肩３と上下に一体化される胴４と、肩３と閉じ合う外蓋５と、肩３の前部上面に取り付けられたパネル６と、胴４の底面開放部に組み込まれた底部７と、胴４の前面に取り付けられた液位表示パネル８とを有している。
【００１５】
図２は、第１実施形態に係る電気ポットの左側面の外観を示している。図３は、肩３の前部の分解斜視を示している。
図１〜図３に示すように、外容器２の前部は、肩３と胴４とパネル６とでくちばし状になっており、その前部下板から吐出口９が外部に臨んでいる。パネル６からは、操作部１０が外部に露出している。底部７は、ターンテーブルとして機能するようになっている。
【００１６】
肩３は、合成樹脂の一体成形品から構成されており、内容器１の上部との間を閉じる内周下部３１と、外蓋５と閉じ合う内周上部３２とを有する。この肩３のうち、外容器２の前部を構成する部分に、操作スイッチ２１を取り付けた操作基板２０を収納する基板格納室４０が設けられている。
【００１７】
肩３と胴４の間の内部空間に、内容器１を加熱するヒータ１１、内容器１から送水ポンプ１２、揚水管１３、転倒止水弁１４が組み込まれている。転倒止水弁１４は、電気ポットの転倒時に自動的に止水する弁であり、従来周知の構成のものが採用されている。この転倒止水弁１４は、揚水管１３と吐出口９との間をつなぐ吐出管路を兼ねた構成になっており、外容器２の前部内において基板格納室４０の下方に配置されている。
【００１８】
胴４のうち、外容器２の前部下板を構成する部分に、吐出口９を外部に臨ませるための貫通孔１５が開放されている。胴４の内壁に、貫通孔１５からの浸水が内容器１側に流下しないようにする遮水リブ１６が設けられている。これにより、ヒータ１１、送水ポンプ１２等の底部近傍に組み込まれた充電部が保護されている。
【００１９】
図４（ａ）は、肩３の前部左側面を拡大して示している。図２、図４（ａ）に示すように、肩３の上部外周壁３３は、胴４と上下に突き合わされる部分となっている。外容器２の前部上面を前端側に進むに連れて下降するデザインとしたことに伴い、肩３の上部外周壁３３の前端部は、上部が下部よりも外に膨らむ壁になっている。このような上部外周壁３３の前端部は、金型を肩３の上下に離型させると、図４（ａ）中に一点鎖線のハッチング部分ＵＣがアンダーカットになる。そこで、肩３の金型パートラインＰＬ１は、ハッチング部分ＵＣがアンダーカットにならないようにするため、上部外周壁３３の前端部の前端上縁Ｐ１を通るように設定されている。
【００２０】
特に、金型パートラインＰＬ１は、前端上縁Ｐ１から後ろ側に進むに連れて次第に水平に近づき、上部外周壁３３の後部下縁との連続部Ｐ２につながるように設定されている。金型パートラインＰＬ１を図４（ａ）に示すように徐変させると、ラインが目立ち難くい。上部外周壁３３の後部上縁に金型パートラインを通すと、ばりが生じた場合、手に触れやすい部分だけに手触りが悪くなり易い、水捨て時にばりの影響で水が飛び散り易いといった心配があるが、上部外周壁３３の後部下縁に通せば、これらの心配もない。
【００２１】
図４（ｂ）に、金型パートラインの別例のＰＬ２を示す。図２、図４（ｂ）に示すように、金型パートラインＰＬ２を、上部外周壁３３の前端部の前端上縁Ｐ１から後ろ側に上部外周壁３３の上縁に沿って通し、内周上部３２の前端壁の外形状ラインの延長上と交わるＰ３上から当該外形状ラインの延長上に沿って通し、上部外周壁３３の後部下縁と交わるＰ４から上部外周壁３３の後部下縁につながるように設定することもできる。金型パートラインＰＬ２を図４（ｂ）に示すように通すと、内周上部３２の前端壁の外形状ラインとの視覚における一体性が高まり、外観上、より目立ち難くなる。
【００２２】
図１に示すように、上記外蓋５は、内容器１に通じた蒸気口５０を有している。この蒸気口５０は、外蓋５内に組み込まれた転倒止水弁の出口を覆うように設けられている。図５（ａ）〜（ｃ）に示すように、蒸気口５０は、複数の出口５１が同心の円弧状に形成されており、各出口５１を同一の入口５２に通じさせた構造になっている。各出口５１と入口５２との間に、入口５２から各出口５１に鉛直に通じることがないように、逆半椀状壁５３が設けられている。このようにすれば、入口５２の内周や転倒止水弁に結露が生じた状態で沸騰運転がなされ、蒸気の吹き上がりが開始されたときに、吹き飛ばされた結露は、各逆半椀状壁５３で捕らえられるので、各出口５１から外部に吹き出難くなる。
【００２３】
図６は、図１の基板格納室４０を拡大して示している。図７は、操作基板２０の分解斜視を示している。図８は、操作部１０の分解斜視をパネル６の内面側から示している。図３、図６に示すように、基板格納室４０は、側周４１ａと底板４１ｂとで上端開放状に設けられている。操作基板２０は、肩３の上側から基板格納室４０の内部に取り付けられている。基板格納室４０に、操作基板２０に接続されたリード線Ｌの取出し口４１ｃが底板４１ｂから下側に突き出るように形成されている。基板格納室４０の底板４１ｂの全部又は一部を前掲の特許文献１のように別体にすることも可能であるが、この第１実施形態のように、肩３と底板４１ｂとを一体成形すると、取出し口４１ｃの開口を操作基板２０よりも小さくでき、比較的にシール面が減る利点がある。
【００２４】
図７に示すように、操作基板２０の上面に、操作スイッチ２１の他に、表示用の発光素子Ｄも複数箇所に取り付けられている。操作スイッチ２１にタクトスイッチが利用され、発光素子Ｄにダイオードが利用されている。操作スイッチ２１の操作部は、操作部１０を構成する複数の操作ボタン１０ａと対向している。
【００２５】
図８に示すように、操作部１０は、複数のボタン１０ａのそれぞれがアーム部１０ｂを介して支持フレーム１０ｃと一体に設けられた合成樹脂の成形品から構成されている。
【００２６】
図６、図７に示すように、操作基板２０に、各操作ボタン１０ａと操作スイッチ２１との間で、ボタン操作を伝達するためのスイッチスペーサ２２が一体化されている。
【００２７】
このスイッチスペーサ２２は、スペーサ部２２ａと取付け板部２２ｂとを支持アーム部２２ｃを介して一体に設けると共に、取付け板部２２ｂと、ここから下方に延びる爪脚部２２ｄとを一体に設けた合成樹脂の成形品から構成されている。複数のボタン１０ａ、複数のスペーサ部２２ａをそれぞれ一体部品とすることにより、組み立て容易化が図られている。
【００２８】
また、図３、図６に示すように、スイッチスペーサ２２と操作基板２０とを一体化することで、これらを基板格納室４０へ同時に取り付けられるようになっている。すなわち、スイッチスペーサ２２と一体化された操作基板２０の前端が、基板格納室４０の内部に突き出た支持リブ４１ｄに載せた後、基板格納室４０の内部に突き出たねじ穴部４１ｅに載せると、側周４１ａで操作基板２０等が位置決めされ、肩３の裏側からねじ穴部４１ｅにおいてねじ止めするようになっている。
【００２９】
操作部１０とスイッチスペーサ２２とは、基板格納室４０を上方から覆う１枚の防水シート２３を介してボタン操作が伝達されるようになっている。防水シート２３は、肩３と取付け板部２２ｂとに接着されている。防水シート２３の接着により、パネル６のボタン孔を通過した水が基板格納室４０内に浸入しないようにしている。
【００３０】
図８に示すように、操作部１０は、各ボタン１０ａと、パネル６の各ボタン孔６ｂとの位置対応をとり、操作部１０に形成された嵌合穴１０ｄをパネル６の内面側から突き出た棒状部６ａに圧入することでパネル６に対して仮固定を行えるようになっている。
ここで、操作部１０とパネル６との間に、各発光素子Ｄを上方から覆う透光性のキャップ部２４ａと、各キャップ部２４ａが連設された支持フレーム２４ｂとを一体に設けた合成樹脂の成形品からなる発光素子保護部材２４も仮固定されるようになっている。
この発光素子保護部材２４は、各キャップ部２４ａと、パネル６の各露光孔６ｃとの位置対応をとり、発光素子保護部材２４の支持フレーム２４ｂをパネル６の内側に形成された位置決め凹部６ｄに入れると、パネル６上でのずれ動きが防止されるようになっている。図９に示すように、その発光素子保護部材２４の上から操作部１０を重ねるようにしてパネル６に仮固定することにより、発光素子保護部材２４及び操作部１０が同時に仮固定される。この状態で、図６に示すように、パネル６と肩３とが一体化されると、発光素子保護部材２４及び操作部１０が肩３とパネル６とに挟まれて仮固定が外れないようになっている。
【００３１】
なお、図８、図９に示すように、パネル６の内面側に、ある発光素子Ｄからの光が他のボタン孔６ｂや露光孔６ｃに達することを阻止する遮光リブ６ｅが設けられている。これにより、点灯表示の誤認が防止されている。
【００３２】
上記パネル６と肩３との一体化は、パネル６の内面側の前部に突き出た爪部６ｆを、図３に示された肩３の爪係合部３４に押し込んで係合させると共に、図８、図９に示すように、パネル６の内面側の後部に突き出たねじ穴部６ｇで肩３の下方からねじ止めすることによる。
【００３３】
また、図１０に第１実施形態の変形例を示すように、スイッチスペーサ２２の取付け板部２２ｂと肩３との間に、基板格納室４０を囲むように防水部材２５を設けることも好ましい。防水シート２３と肩３との接着面積を十分に得られない場合、防水シート２３の外縁部が浮き上がり易くなるが、このような場合でも、防水シート２３の外縁部と肩３の間からの浸水が防水部材２５により基板格納室４０内に達することを防止することができる。防水部材２５は、例えば、シリコンを塗布した部材、シリコンゴム、発泡シリコン等を使用することができる。
【００３４】
図１１（ａ）は、肩３を上下逆様の姿勢としてその前部内側の斜視を示している。図１１（ｂ）は、図１１（ａ）の姿勢において取出し口４１ｃの開口中心を含む縦断前面図を示している。
図１１に示すように、上記基板格納室４０の取出し口４１ｃは、底板４１ｂから下側に突き出るように形成されているため、上記リード線Ｌを下降させることができる。取出し口４１ｃの一部は、一段低い切欠状になっており、ここから複数のリード線Ｌを側方にまとまりよく出すことができる。
【００３５】
第１実施形態に係る電気ポットは、取出し口４１ｃに基板格納室４０の外から被さる蓋部材４２を有している。蓋部材４２は、合成樹脂の射出成形品からなり、蓋部材４２自体は、水を透過させない。
【００３６】
その蓋部材４２と取出し口４１ｃとの間に、下降させたリード線Ｌを取出し口４１ｃから側方に出して基板格納室４０の外で上昇させるラビリンスが設けられている。
より具体的には、図１２に示すように、蓋部材４２は、取出し口４１ｃに嵌合される内外２重のインロー部４２ａ、４２ｂと、外側のインロー部４２ｂと一連に形成され立壁部４２ｃとをその上面に有している。取出し口４１ｃから側方に出たリード線Ｌは、内側のインロー部４２ａの切れ目から上昇しながら立壁部４２ｃの上方を越えている。すなわち、蓋部材４２は、外側のインロー部４２ｂと、取出し口４１ｃとの間にラビリンスを形成する立壁部４２ｃとからなる環状壁を有している。
【００３７】
ここで、立壁部４２ｃは、外側のインロー部４２ｂより一段低く形成されており、取出し口４１ｃの切欠状の部分との間でラビリンスを形成するようになっている。これにより、複数のリード線Ｌは、外側のインロー部４２ｂ及び取出し口４１ｃの段差でばらけないように纏められている。
【００３８】
なお、蓋部材４２は、図１２（ａ）〜（ｃ）に示すように、外側のインロー部４２ｂの両端部からねじ止め部４２ｄが延設されている。蓋部材４２は、図１１（ｂ）に示すように、ねじ止め部４２ｄに通したねじ（図示省略）で肩３の下端に締結され、これにより固定されている。
【００３９】
蓋部材４２を肩３に固定した状態で、上記取出し口４１ｃと立壁部４２ｃとで形成されたラビリンスは、毛細管現象で水膜が形成されない通路となっている。立壁部４２ｃ、取出し口４１ｃをポリプロピレン等の一般的な射出成形用の合成樹脂で形成した場合、ラビリンスの間隔ｌが少なくとも２ｍｍあれば、ラビリンスの内壁面間において毛細管現象が生じることは防止される。
【００４０】
上記の構成を有する第１実施形態に係る電気ポットは、取出し口４１ｃに基板格納室４０の外かつ下方から蓋部材４２が内外二重のインロー部４２ａ、４２ｂにおいて嵌合され、これにより、蓋部材４２が取出し口４１ｃに被さるため、上下逆様の状態で、取出し口４１ｃの下方から水滴が直接的に室内に入ることはない。
上記取出し口４１ｃと蓋部材４２の立壁部４２ｃとで形成されたラビリンスは、上下逆様の状態で、取出し口４１ｃに対してこの外でリード線Ｌを上昇させる揚程を生じさせる。この揚程のため、リード線Ｌを伝う水滴Ｗは、取出し口４１ｃに向かい難くなる。
リード線Ｌを伝う水滴Ｗは、上記の揚程のため、リード線Ｌから落下することも起こり得る。落下した水滴Ｗは、上下正常の姿勢に戻されたときに、ラビリンス内を下降することもあり得るが、取出し口４１ｃは、リード線Ｌを下降させる、すなわち、上下正常の姿勢において揚程を生じさせるため、ラビリンス内を下降しても取出し口４１ｃから基板格納室４０内に入り難い。なお、リード線は、内容器１の下方まで導かれている。
【００４１】
以下、この発明の第２実施形態を図１３に基いて説明する。なお、以下では、上記第１実施形態との相違点を中心に述べる。
図１３に示すように、転倒止水弁１４’は、その弁ケース上面に、上記内外２重のインロー部４２ａ、４２ｂ及び立壁部４２ｃに相当する部分４２ａ’〜４２ｃ’が一体に設けられたものとなっている。
このように基板格納室４０の下方に配置された転倒止水弁１４’の弁ケースを蓋部材とすれば、組み立て部品数を減らすことができる。なお、転倒止水弁１４’の弁ケースは、肩３に対し、十分な位置決めがされていることは勿論である。
【００４２】
なお、一般に、転倒止水弁の弁ケースは、上下２分割に構成されている。このため、転倒止水弁の弁ケースの上側部材とインロー部等とを一体で射出成形したり、上側部材の上面にインロー部等を摩擦融着で一体化したりすることで、転倒止水弁の弁ケースをインロー部等を有する蓋部材とすることが可能である。
【００４３】
この発明の第３実施形態を図１４に基いて説明する。
図１４に示すように、第３実施形態に係る蓋部材４２’は、取出し口４１ｃに嵌合されるインロー部４２ａ、４２ｂと、取出し口４１ｃとの間にラビリンスを形成する立壁部４２ｃとからなる環状壁を有するが、図１２に示すねじ止め部４２ｄが省略されたものとなっている。
この蓋部材４２’は、図１４に示すように、取出し口４１ｃの下方からインロー部４２ａ、４２ｂと取出し口４１ｃとを嵌合させることで取出し口４１ｃに対して水平方向に位置決めされる。この嵌合状態で、蓋部材４２’の下端は、基板格納室４０の下方に配置された転倒止水弁１４の弁ケースの上端で取出し口４１ｃから落下しないように押さえられている。このため、蓋部材４２’にねじ止め部や上下方向の係合部が不要になり、蓋部材の小型化を図ることができる。
【００４４】
この発明の第４実施形態を図１５に基いて説明する。
図１５に示すように、第４実施形態に係る蓋部材６０は、矩形筒状に突き出た取出し口４１ｃに対し一側方からスライドさせることで基板格納室外から被せられるようになっている。蓋部材６０は、取出し口４１ｃの両長手辺に沿う両側壁６１、６２を有し、両側壁６１、６２間の一端間がスライドを可能にするための開放端となっている。図示省略するが、これら両側壁６１、６２間の左右他端同士をつなぐように上記立壁部４２ｃに相当する立壁部が形成されている。なお、肩３に蓋部材６０のスライド空間を得るための貫通孔６３が形成されている。
蓋部材６０の内面側に突出する鉤部６４は、スライドに際し、取出し口４１ｃの切欠状部分６５を通過する位置関係にあり、上記ラビリンスが形成されるスライド完了位置で取出し口４１ｃの一長手辺側に形成された鉤部６６と上下に係合し、蓋部材６０を落下止めする。このため、蓋部材６０のねじ止めが不要になっている。
【００４５】
この発明の第５実施形態を図１６に基いて説明する。
図１６に示すように、第５実施形態に係る電気ポットは、水不透過性の平板状シール部材７０を曲げて複数の前記リード線Ｌを挟み込み、その複数のリード線Ｌを挟み込んだ平板状シール部材７０を取出し口４１ｃに押し込み、その取出し口４１ｃに押し込まれた平板状シール部材７０が弾性回復により当該リード線Ｌ及び当該取出し口４１ｃの内周にくっ付いたものとなっている。
【００４６】
上記平板状シール部材７０としては、例えば、発泡ウレタン、平板状のシリコン等を用いることができる。
【００４７】
この平板状シール部材７０は、均一肉厚の矩形板状とされ、その長手辺の真ん中で複数のリード線Ｌを挟み込むと、矩形筒状に突き出た取出し口４１ｃの内周に概ね一致しながらも取出し口４１ｃの内周に対し圧縮代が生じるように形成されている。これにより、平板状シール部材７０は、挟み込まれた複数のリード線Ｌを取出し口４１ｃに収まりよく押し込むことができる。押し込まれた平板状シール部材７０は、圧縮代に伴う弾性回復により、挟み込まれた複数のリード線Ｌを中央付近にまとめながらその周囲にくっ付き、また取出し口４１ｃの内周にくっ付く。このため、仮に、リード線Ｌを伝った水滴が取出し口４１ｃに達したとしても、取出し口４１ｃを通過することが困難になっている。
【００４８】
なお、上記平板状シール部材７０に係る構成は、この発明に係る取出し口の構成、また、取出し口に蓋部材を被せる構成か否かにかかわらず適用することができ、例えば、前掲の特許文献１のような従来の構成の取出し口にも適用することができる。
【図面の簡単な説明】
【００４９】
【図１】この発明の第１実施形態に係る電気ポットの縦断側面図
【図２】図１の電気ポットの外容器を一部切り欠いて示す外観図
【図３】図１の電気ポットの肩前部の分解斜視図
【図４】ａは図１の肩前部の金型パートラインを示す拡大側面図、ｂは図１の肩前部の別例の金型パートラインを示す拡大側面図
【図５】ａは図１の電気ポットの蒸気口の全体斜視図、ｂはａに示したｂ−ｂ線の断面図、ｃはａに示したｃ−ｃ線の断面図
【図６】図１の電気ポットの基板格納室付近の拡大図
【図７】図１の電気ポットの操作基板の分解斜視図
【図８】図１の電気ポットの操作部の分解斜視図
【図９】図１の電気ポットの操作部を仮固定した状態を示す部分下面図
【図１０】図１の電気ポットの基板格納室付近の変形例を示す部分縦断側面図
【図１１】ａは図１の電気ポットの肩前部の内側を示す部分斜視図、ｂは、ａの姿勢において取出し口の開口中心を含む縦断前面図
【図１２】ａは図６の蓋部材を上側から示す斜視図、ｂは図６の蓋部材の下面図、ｃはｂに示したｃ−ｃ線の断面図
【図１３】この発明の第２実施形態を肩前部の内側から示す分解斜視図
【図１４】ａはこの発明の第３実施形態の蓋部材を上側から示す斜視図、ｂは第３実施形態の肩前部の全体構成を示す縦断側面の斜視図
【図１５】ａはこの発明の第４実施形態を肩前部の内側から示す分解斜視図、ｂはａの蓋部材を取出し口に被せた状態の部分拡大縦断側面図
【図１６】ａはこの発明の第５実施形態を肩前部の内側から示す分解斜視図、ｂはａの取出し口に押し込む平板状シール部材の自然状態を実線で示すと共にリード線を挟み込んだ状態を二点鎖線で示した斜視図、ｃはリード線を挟み込んだ平板状シール部材を取出し口に押し込んだ状態の下面図、ｄはｃの平板状シール部材を取出し口の長手辺の中間で幅方向に切断した部分断面図
【符号の説明】
【００５０】
１  内容器
２  外容器
３  肩
４  胴
５  外蓋
６  パネル
６ａ  棒状部
６ｂ  ボタン孔
６ｃ  露光孔
６ｄ  凹部
６ｅ  遮光リブ
６ｆ  爪部
６ｇ  ねじ穴部
７  底部
８  液位表示パネル
９  吐出口
１０  操作部
１０ａ  操作ボタン
１０ｂ  アーム部
１０ｃ  支持フレーム
１０ｄ  嵌合穴
１１  ヒータ
１２  送水ポンプ
１３  揚水管
１４、１４’  転倒止水弁
１５  貫通孔
１６  遮水リブ
２０  操作基板
２１  操作スイッチ
２２  スイッチスペーサ
２２ａ  スペーサ部
２２ｂ  取付け板部
２２ｃ  支持アーム部
２２ｄ  爪脚部
２３  防水シート
２４  発光素子保護部材
２４ａ  キャップ部
２４ｂ  支持フレーム
２５  防水部材
３１  内周下部
３２  内周上部
３３  上部外周壁
３４  爪係合部
４０  基板格納室
４１ａ  側周
４１ｂ  底板
４１ｃ  取出し口
４１ｄ  支持リブ
４１ｅ  ねじ穴部
４２、４２’、６０  蓋部材
４２ａ、４２ａ’４２ｂ、４２ｂ’インロー部
４２ｃ、４２ｃ ’  立壁部
４２ｄ  ねじ止め部
５０  蒸気口
５１  出口
５２  入口
５３  逆半椀状壁
６１、６２  側壁
６３  貫通孔
６４、６６  鉤部
６５  切欠状部分
７０  平板状シール部材
Ｄ  発光素子
Ｌ  リード線
【図１】
2008284100.tif 000003
【図２】
2008284100.tif 000004
【図３】
2008284100.tif 000005
【図４】
2008284100.tif 000006
【図５】
2008284100.tif 000007
【図６】
2008284100.tif 000008
【図７】
2008284100.tif 000009
【図８】
2008284100.tif 000010
【図９】
2008284100.tif 000011
【図１０】
2008284100.tif 000012
【図１１】
2008284100.tif 000013
【図１２】
2008284100.tif 000014
【図１３】
2008284100.tif 000015
【図１４】
2008284100.tif 000016
【図１５】
2008284100.tif 000017
【図１６】
2008284100.tif 000018